(57)【要約】【課題】屋内で用いる間仕切りパネルにおいて、高意匠性、防音性、吸音性、軽量性、加工性、断熱性を兼ね備えた、間仕切りパネルを提供することを課題とする。【解決手段】積層体の中心部の芯材として、硬質発泡樹脂を用いてあり、この芯材の厚さは１５ｍｍ〜５０ｍｍであり、比重は０．０５ｇ／ｃｍ３〜０．３ｇ／ｃｍ３であって、硬質発泡樹脂層は、螺子保持率５００Ｎ以上のアンカー効果を有しており、芯材の、表裏両面には吸音材層を設けてあり、吸音材層は厚さが４ｍｍ〜１５ｍｍであり、比重は０．０５ｇ／ｃｍ３〜０．３ｇ／ｃｍ３であって、吸音材層の外面には、吸音材層と、通気性を有する接着剤層を介して表層シート層が設けてあり、最外層になる面に絵柄層が設けてあり、さらに有孔処理が施してあり有孔処理は、孔の直径が５００μｍ以下、孔間のピッチは２ｍｍ以上でなされていることを特徴とする、間仕切りパネルである。【選択図】図１
2020153107.tif 000002
【特許請求の範囲】
【請求項１】
間仕切りパネルであって、
この間仕切りパネルは積層体からなり、
積層体の中心部の芯材として、硬質発泡樹脂を用いてあり、
この芯材の厚さは１５ｍｍ〜５０ｍｍであり、比重は０．０５ｇ／ｃｍ３〜０．３ｇ／ｃｍ３であって、
硬質発泡樹脂層は、螺子保持率５００Ｎ以上のアンカー効果を有しており、
芯材の、表裏両面には接着剤層を介して吸音材層を設けてあり、
吸音材層は厚さが４ｍｍ〜１５ｍｍであり、比重は０．０５ｇ／ｃｍ３〜０．３ｇ／ｃｍ３であって、
さらに、表裏両面の吸音材層の外面には、吸音材層と、通気性を有する接着剤層を介して表層シート層が設けてあり、
表層シートには、最外層になる面に絵柄層が設けてあり、さらに有孔処理が施してあり、
有孔処理は、孔の直径が５００μｍ以下、孔間のピッチは２ｍｍ以上でなされていることを特徴とする、間仕切りパネル。
【請求項２】
前記吸音材層は、フェルト、またはガラス繊維からなる材料を用いたものであることを特徴とする、請求項１に記載の間仕切りパネル。
【請求項３】
前記表層シートは、オレフィン系樹脂シート、カーボン繊維、またはガラス繊維、またはアラミド繊維からなる不織布、アルミ箔サンド紙、ストーンペーパー、ガラスペーパー、のいずれかからなることを特徴とする、請求項１または請求項２のいずれかに記載の間仕切りパネル。
【請求項４】
前記接着剤層が、粘着剤を用いてなることを特徴とする、請求項１〜請求項３のいずれかに記載の間仕切りパネル。
【請求項５】
前記通気性を有する接着剤層が、網目状や粉末状あるいは発泡性を有する反応性の、ホットメルト接着剤であることを特徴とする、請求項１〜請求項４のいずれかに記載の間仕切りパネル。
【請求項６】
前記通気性を有する接着剤層が、粘着剤を用いてなることを特徴とする、請求項１〜請求項４のいずれかに記載の間仕切りパネル。
【発明の詳細な説明】
【技術分野】
【０００１】
本発明は、間仕切りパネルに関するものである。特に屋内の間仕切りに用いるものであって、単に仕切板ということにとどまらず、意匠性のほか、吸音性能や断熱性などの性能に総合的に優れかつ、施工や取り扱いも容易な、複合的機能を有する間仕切りパネルに関するものである。
【背景技術】
【０００２】
屋内の間仕切りパネルについては、住宅用に限らず様々な分野でいろいろな使い方がなされているのであって、可動式、或いは移動式のもの、あるいはオフィス空間や学校間仕切り、トイレブース、収納間仕切りなど、使われる場面はさまざまであり、用途は広がりを見せている。
【０００３】
間仕切りパネルに、求められる共通の性能のひとつとして、壁面などに用いられるパネルと異なる点は、たとえば、部屋を仕切った際には表裏両側から、意匠性が求められる点がある。
【０００４】
また間仕切りパネルの両側において、両側の空間を仕切るに当っては、快適性の観点から遮音性能も求められ、また断熱性も必要とされ、これらもまた間仕切りとして共通に求められる性能である。
【０００５】
一方で、移動性や可動性、また施工性についても軽量で取り扱いがしやすいことが、求められる。
【０００６】
間仕切りパネルは、こうした状況を背景に商品化が進み、年々その市場規模も拡大しているところであるが、これらの機能を総合的に備えたものがなく、更なる改良が求められている。
【０００７】
たとえば、吸音性と意匠性に関しては、吸音性の材料に、単色の色付けを施しただけのものや、繊維系素材で覆っただけのものが商品化されている。
【０００８】
これに対し意匠性の高い、たとえば、印刷技術によるポリオレフィン系化粧シートをラミネートしたものもあるが、この場合には防音に関しては音エネルギーが反射することになり、吸音性とは効果が異なってしまう。
【０００９】
また、たとえば吸音性と軽量性、加工性に関しては、フェルト／繊維積層剤／ハニカムコア材の構成のものがあるが、この場合には軽量化は達成できるものの、コア材にはアンカー効果がないために、加工性に乏しく、パネルの連結にも不適な上、無理に連結しようとする場合には、重量があり、また価格も高価な連結金具などを用いる必要が有り、この両立は難しい。
【００１０】
また、たとえば断熱性を求める場合には、硬質の発泡樹脂を用いることができるが、この場合には衝撃による打痕に弱く、取り扱いに難がある。このような場合、硬質の発泡樹脂の表面に、メラミン化粧板や、ポリエステル化粧板などの熱硬化性樹脂板を貼り合せるなどすることで打痕には対策できるが、重量が重くなりまた価格面でも高価なものになってしまう。
【００１１】
特許文献１には、軽量のパネルの提案がなされているが、軽量ではあっても、意匠性、
加工性に配慮したものではなく、使い勝手のよいものではない。
【００１２】
あるいは、特許文献２には、吸音パネルの提案がなされているが、多孔質版をクロスで覆っただけの構成であり、意匠性に配慮して考案されたものではなく、加工性などにも問題を残しているものである。
【先行技術文献】
【特許文献】
【００１３】
【特許文献１】特開２００３−２９１２３５号公報
【特許文献２】特開２０１０−２８１１３１号公報
【発明の概要】
【発明が解決しようとする課題】
【００１４】
本発明はかかる状況に鑑みてなされたものであり、屋内で用いる間仕切りパネルにおいて、高意匠性、防音性、吸音性、軽量性、加工性、断熱性を兼ね備えた、間仕切りパネルを提供することを課題とする。
【課題を解決するための手段】
【００１５】
上記の課題を解決するための手段として、請求項１に記載の発明は、
間仕切りパネルであって、
この間仕切りパネルは積層体からなり、
積層体の中心部の芯材として、硬質発泡樹脂を用いてあり、
この芯材の厚さは１５ｍｍ〜５０ｍｍであり、比重は０．０５ｇ／ｃｍ３〜０．３ｇ／ｃｍ３であって、
硬質発泡樹脂層は、螺子保持率５００Ｎ以上のアンカー効果を有しており、
芯材の、表裏両面には接着剤層を介して吸音材層を設けてあり、
吸音材層は厚さが４ｍｍ〜１５ｍｍであり、比重は０．０５ｇ／ｃｍ３〜０．３ｇ／ｃｍ３であって、
さらに、表裏両面の吸音材層の外面には、吸音材層と、通気性を有する接着剤層を介して表層シート層が設けてあり、
表層シートには、最外層になる面に絵柄層が設けてあり、さらに有孔処理が施してあり、
有孔処理は、孔の直径が５００μｍ以下、孔間のピッチは２ｍｍ以上でなされていることを特徴とする、間仕切りパネルである。
【００１６】
また、請求項２に記載の発明は、
前記吸音材層は、フェルト、またはガラス繊維からなる材料を用いたものであることを特徴とする、請求項１に記載の間仕切りパネルである。
【００１７】
また、請求項３に記載の発明は、
前記表層シートは、オレフィン系樹脂シート、カーボン繊維、またはガラス繊維、またはアラミド繊維からなる不織布、アルミ箔サンド紙、ストーンペーパー、ガラスペーパー、のいずれかからなることを特徴とする、請求項１または請求項２のいずれかに記載の間仕切りパネルである。
【００１８】
また、請求項４に記載の発明は、
前記接着剤層が、粘着剤を用いてなることを特徴とする、請求項１〜請求項４のいずれかに記載の間仕切りパネルである。
【００１９】
また、請求項５に記載の発明は、
前記通気性を有する接着剤層が、網目状や粉末状あるいは発泡性を有する反応性の、ホットメルト接着剤であることを特徴とする、請求項１〜請求項４のいずれかに記載の間仕切りパネルである。
【００２０】
また、請求項６に記載の発明は、
前記通気性を有する接着剤層が、粘着剤を用いてなることを特徴とする、請求項１〜請求項４のいずれかに記載の間仕切りパネルである。
【発明の効果】
【００２１】
本発明によれば、屋内で用いる間仕切りパネルにおいて、高意匠性、防音性、吸音性、軽量性、加工性、断熱性を兼ね備えた、間仕切りパネルを提供することが可能である。
【００２２】
特に請求項２に記載の発明によれば、吸音材層は、フェルト、またはガラス繊維からなる材料を用いたものとすることによって、これらの材料は一般にポーラスであり、吸音性の向上には効果的である。
【００２３】
特に吸音材層にフェルトを用いる場合には、吸音性において、また防音性においてより優れた性能を有した、間仕切りパネルとすることが可能である。
【００２４】
あるいはまた、吸音材層にガラス繊維からなる材料、たとえばグラスウールや、ガラス繊維からなる不織布、などを用いる場合には、吸音効果に加えて、防火性能、耐火性能、不燃性能にもよりすぐれた性能を有した、間仕切りパネルとすることが可能である。
【００２５】
特に請求項３に記載の発明によれば、表層シートは、オレフィン系樹脂シート、カーボン繊維、またはガラス繊維、またはアラミド繊維からなる不織布、アルミ箔サンド紙、ストーンペーパー、ガラスペーパー、のいずれかからなることによって、間仕切りパネルの防音効果に使用をきたすことなく、それぞれの材料の特徴を生かした間仕切りパネルとすることが可能である。
【００２６】
たとえば、表層シートにオレフィン系樹脂シートを用いて高精細、高品位な印刷による絵柄層を設け、有孔処理したものを用いることが可能であり、この場合には吸音性能に支障をきたすことなく、高意匠性の点で特に優れる。
【００２７】
そのほか表層シートとして、カーボン繊維、またはガラス繊維、またはアラミド繊維から成る不織布、アルミ箔サンド紙、ストーンペーパー、ガラスペーパー、のいずれかから選択することができ、特に無機材料を用いることによって、間仕切りパネル全体として、防音性に加えて、防火性、耐火性、不燃性を付加、向上させることに効果的である。
【００２８】
特に請求項４に記載の発明によれば、芯材と吸音材層を積層する接着剤層を、粘着剤を用いてなる層とすることによって、短時間で一定の接着力が得られるために、芯材と吸音材層の積層をより容易なものとすることができる。
【００２９】
特に請求項５に記載の発明によれば、吸音材層と表層シートを積層する、通気性を有する接着剤層が、粉末状や網目状であれば、接着剤層はポーラスなものとなり、通気性は確保される。
【００３０】
あるいは発泡性を有する反応性の、ホットメルト接着剤であることによって、この場合もまた、発泡性によって、接着剤層をポーラスな層とすることが可能である。
【００３１】
したがって、ポーラスな層であることによって、ホットメルト接着剤の層より内側の吸
音材層に、パネル外側からの音を伝えることができ吸音性に優れ、間仕切りパネル全体としての防音性の向上により有効である。
【００３２】
特に請求項６に記載の発明によれば、吸音材層と表層シートを積層する、通気性を有する接着剤層を、粘着剤からなる層とすることにより、短時間で一定の接着力が得られるために、吸音材層と表層シートとの積層はより容易なものとなる。なお、本発明による間仕切りパネルにおいては、この粘着剤からなる層においても、通気性を有することが求められる。
【図面の簡単な説明】
【００３３】
【図１】図１は本発明に係る間仕切りパネルの一実施態様を説明するための、部分断面模式図である。
【発明を実施するための形態】
【００３４】
以下、本発明を図を参照しながら、更に詳しい説明を加える。ただし本発明は、ここに示す例にのみ限定されるものではない。本発明は、請求項によって限定されるものである。
【００３５】
図１は本発明に係る間仕切りパネルの一実施態様を説明するための、部分断面模式図である。
【００３６】
本発明は、間仕切りパネル（１００）に関するものである。またこの間仕切りパネル（１００）は、複数の層からなる積層体から構成される。本発明は、間仕切りパネル（１００）において、高意匠性、防音性、吸音性、軽量性、加工性、断熱性を兼ね備えた、間仕切りパネル（１００）を提供することを課題としている。
【００３７】
積層体の中心部の芯材（１０）として、硬質発泡樹脂を用いている。またこの芯材（１０）の厚さは１５ｍｍ〜５０ｍｍであり、比重は０．０５ｇ／ｃｍ３〜０．３ｇ／ｃｍ３である。これによって、断熱性を向上させることに効果的であり、また軽量性、防音性、吸音性においても有効である。
【００３８】
本発明において、芯材（１０）として使用する、硬質発泡樹脂層は、螺子保持率５００Ｎ以上のアンカー効果を有しており、これは、螺子のアンカー性能が、部材を取り付ける際の螺子止めなどの加工性を良くし、また、加工したあとの螺子止め部分の堅牢性の点でも有効である。
【００３９】
この芯材（１０）として使用する、硬質発泡樹脂層としては、たとえば発泡倍率５倍程度のポリスチレンを使用することが可能である。
【００４０】
芯材（１０）の、表裏両面には接着剤層（１）を介して吸音材層（２０）を設けてあり、吸音材層（２０）はそれぞれの厚さが４ｍｍ〜１５ｍｍである。また、比重は０．０５ｇ／ｃｍ３〜０．３ｇ／ｃｍ３である。
【００４１】
すなわち、吸音材層（２０）の材質が、密ではなくポーラスであることによって、吸音効果が得られることに加えて、吸音材層（２０）に一定の厚さがあることによっても、吸音性の向上が可能となり、防音性に優れた間仕切りパネル（１００）の提供が可能になる。
【００４２】
接着剤層（１）特段の限定を加えるものではないが、たとえばエチレン酢酸ビニル系接着剤を用いることができ、塗布量はたとえば５ｇ〜１５ｇ／尺×尺、とすることができる
。接着剤層（１）に、エチレン酢酸ビニル系接着剤を用いる場合には、材料のコスト面において、比較的有利である。
【００４３】
あるいは、接着剤層（１）として、粘着剤からなる層とすることもできる。粘着剤からなる層とすることにより、短時間で一定の接着力が得られるために、芯材（１０）と吸音材層（２０）の積層はより、生産性が良く、容易なものとなる。
【００４４】
吸音材層（２０）には、たとえば、フェルト、またはガラス繊維からなる材料を用いることができる。このような材料は一般にポーラスであり、吸音には効果的である。特に吸音材層（２０）にフェルトを用いる場合には、吸音効果により優れた性能を有し、防音性に優れた間仕切りパネル（１００）とすることが可能である。
【００４５】
あるいはまた、吸音材層（２０）に、ガラス繊維からなる材料、たとえばグラスウールや、ガラス繊維からなる不織布、などを用いる場合には、吸音性に加えて、防火性能、耐火性能、不燃性能にもよりすぐれた性能を有した、間仕切りパネル（１００）とすることが可能である。
【００４６】
さらに、表裏両面の吸音材層（２０）の、間仕切りパネルの外側の面には、吸音材層（２０）と、表層シート層（３０）とが、通気性を有する接着剤層（２）を介して積層されている。
【００４７】
通気性を有する接着剤層（２）は、間仕切りパネル（１００）の外側からの音を自身が吸収するとともに、吸音材層にも音が伝播することを可能にするため、吸音効果が得られる。
【００４８】
また、特に通気性を有する接着剤層（２）にホットメルト接着剤を用いる場合には、接着力が瞬時に得られるため、間仕切りパネル（１００）を作成するときの作業性の向上には有利である。
【００４９】
通気性を有する接着剤層（２）の厚みは、たとえば５０μｍ〜３００μｍとすることができる。通気性を有する接着剤層（２）としては、他に発泡ウレタン系接着剤を用いることも可能である。
【００５０】
特に、通気性を有する接着剤層（２）は、網目状や粉末状、あるいは発泡性を有する反応性のホットメルト接着剤とすることができ、この場合には、粉末状であれば、通気性は確保ざれ、また発泡性によっても、ポーラスな層とすることが可能である。
【００５１】
したがって、間仕切りパネル（１００）外側からの音を、ポーラスなホットメルト接着剤の層より内側の。吸音材層（２０）に伝えることができ、そのため吸音性においてより効果的であり、間仕切りパネル（１００）全体としての、防音性の向上により有効である。
【００５２】
また、吸音材層（２０）と表層シート（３０）とを積層する、通気性を有する接着剤層（２）を、粘着剤からなる層とすることも可能である。これにより、短時間で一定の接着力が得られるために、吸音材層（２０）と表層シート（３０）との積層はより容易なものとなる。なお、本発明による間仕切りパネル（１００）においては、この粘着剤からなる層においても、通気性を有する。
【００５３】
本発明による間仕切りパネル（１００）おいて、表層シート（３０）には、最外層になる面に絵柄層（３１）が設けてあり、さらにこの表層シート（３０）には有孔処理が施し
てあり、有孔処理は、孔の直径が５００μｍ以下、孔と孔のピッチは２ｍｍ以上でなされている。
【００５４】
また、我々は本発明を鋭意検討する過程で、表層シート（３０）への有孔処理が、孔の直径が５００μｍ以下、孔間のピッチは２ｍｍ以上であれば、吸音効果に影響を与えることなく、表面の絵柄層（３１）による意匠効果にも、影響を与えることがないことを見出したのである。
【００５５】
この孔の形状に関しては、特段の制限を設けるものではなく、前述の直径、孔と孔のピッチの範囲内であれば、任意である。またその形成方法にも特段の制約を設けるものではない。
【００５６】
この有孔処理によって、間仕切りパネル（１００）の外側からの音を、内側の吸音材層（２０）に伝えることができ、吸音性を向上させることが可能であり、間仕切りパネル（１００）全体としての防音性の向上に有効である。
【００５７】
表層シート（３０）は、たとえば、ポリオレフィン系樹脂シートを用いて高精細、高品位な印刷による絵柄層（３１）を設け、有孔処理したものを用いることが可能であり、この場合には吸音性能に支障をきたすことなく、本発明の課題のひとつである、高意匠性の点で特に優れる。
【００５８】
表層シート（３０）は、間仕切りパネル（１００）の表裏２面に設けられるのであり、間仕切りとして使用する際に、仕切られた両側から表層シート（３０）が可視であり、表面の絵柄層（３１）を確認することができる。
【００５９】
そのほか表層シート（３０）として、カーボン繊維、またはガラス繊維、またはアラミド繊維から成る不織布、アルミ箔サンド紙、ストーンペーパー、ガラスペーパー、のいずれかから選択することができ、特に無機材料を用いることによって、間仕切りパネル（１００）全体として、防火、耐火性能を向上させることに効果的である。
【００６０】
絵柄層（３１）の形成方法については、特別な限定を設けるものではないが、既存の塗装、印刷の方式の中から選択することができる。たとえば、被印刷体の種類等を考慮すれば、インクジェット印刷法、グラビア印刷法、オフセット印刷法、シルクスクリーン印刷法などから適宜選択することができる。
【００６１】
特に前述のポリオレフィン系樹脂シートを用いて、またグラビア印刷法を用いることにより、高意匠性を実現することが可能である。
【００６２】
このようにして、本発明によれば、屋内で用いる間仕切りパネル（１００）において、高意匠性、防音性、吸音性、軽量性、加工性、断熱性を兼ね備えた、間仕切りパネル（１００）を提供することが可能である。
【符号の説明】
【００６３】
１・・・接着剤層
２・・・通気性を有する接着剤層
１０・・・芯材
２０・・・吸音材層
３０・・・表層シート
３１・・・絵柄層
１００・・・間仕切りパネル
【図１】
2020153107.tif 000003